(57)【要約】      （修正有）【課題】複数の記録装置によって記録が行われたディスクの再生において、リード品質の低下を防止することが可能なディスク装置を提供する。【解決手段】ディスク装置は、選択部と、再生部と、を備える。選択部は、ディスクの再生対象データを記録した記録装置と同一の記録装置で記録されたディスクの記録済み領域でディスクからデータを読み出し、その読み出しから生成された読出信号の調整を実施して取得した調整値を選択する（Ｓ２５０）。再生部は、選択部によって選択された調整値で調整を実施し、再生対象データを再生する（Ｓ２６０、Ｓ２７０）。【選択図】図１０
2015049922.tif 000002
【特許請求の範囲】
【請求項１】
ディスクの再生対象データを記録した記録装置と同一の記録装置で記録された前記ディスクの記録済み領域で前記ディスクからデータを読み出し、その読み出しから生成された読出信号の調整を実施して取得した調整値を選択する選択部と、
前記選択部によって選択された調整値で調整を実施し、前記再生対象データを再生する再生部と、を備えることを特徴とするディスク装置。
【請求項２】
前記ディスクにデータを記録した全ての記録装置それぞれで記録された前記ディスクの記録済み領域で前記ディスクからデータを読み出し、その読み出しから生成された読出信号の調整を実施して、前記ディスクにデータを記録した全ての記録装置それぞれに対応する各調整値を取得する取得部を備える請求項１に記載のディスク装置。
【請求項３】
前記再生対象データが確定する前に、前記取得部が前記各調整値の取得を実施する請求項２に記載のディスク装置。
【請求項４】
前記選択部は、
前記再生対象データの読み出し品質が良好であるか否かを確認し、
前記再生対象データの読み出し品質が良好である場合に、前記再生対象データの読み出し品質が良好であるか否かを確認した際に用いた調整値を選択し、
前記再生対象データの読み出し品質が良好でない場合に、前記再生対象データを記録した記録装置と同一の記録装置で記録された前記ディスクの記録済み領域で前記ディスクからデータを読み出し、その読み出しから生成された読出信号の調整を実施して取得した調整値を選択する請求項１〜３のいずれかに記載のディスク装置。
【請求項５】
前記ディスクに再生対象となり得るデータを記録する際に、前記再生対象となり得るデータのアドレス範囲と、前記再生対象となり得るデータがどの記録装置で記録されたかを示す付加情報と、を含む制御信号を前記ディスクに記録する記録部を備える請求項１〜４のいずれかに記載のディスク装置。
【請求項６】
ディスクの再生対象データを記録した記録装置と同一の記録装置で記録された前記ディスクの記録済み領域で前記ディスクからデータを読み出し、その読み出しから生成された読出信号の調整を実施して取得した調整値を選択する選択ステップと、
前記再生対象データを再生する際に前記選択ステップによって選択された調整値で調整を実施する調整ステップと、を備えることを特徴とする調整方法。
【発明の詳細な説明】
【技術分野】
【０００１】
本発明は、ディスクの再生又は記録を行うディスク装置、及びディスク装置における調整方法に関するものである。
【背景技術】
【０００２】
近年、ＣＤ（Compact Disc）やＤＶＤ（Digital Versatile Disc）といった光ディスクが普及し、一般的に用いられるようになっている。また、光ディスクに記録された情報、例えば音声情報や画像情報を読み出して記録／再生するための装置として、ディスク装置が実用化されている。広く知られているディスク装置としては、例えばＣＤプレーヤ、ＤＶＤプレーヤ、或いはパソコンに接続されるＣＤ−ＲＯＭドライブ等があげられる。
【０００３】
ディスク装置においては、光ディスクの記録または再生を開始する段階で、様々な調整処理が行われる。例えば、光ディスク上の情報を電気的に読み出した再生信号であるＲＦ信号の信号波形の劣化を補償するため、イコライザ調整が行われる。イコライザ調整は、ＲＦ信号に対するカットオフ周波数とブースト量との双方の調整を組み合わせることによって行われる。
【０００４】
しかしながら、ＤＶＤ−Ｒ等の追記可能型光ディスクでは、複数のディスク装置によってデータが記録される可能性がある。このような光ディスクでは、複数のディスク装置によってデータが記録されると、制御情報が記録された情報記録単位と、ユーザデータが記録された領域（以下、「ユーザデータ記録済み領域」という）とが、それぞれ複数存在することとなる。
【０００５】
イコライザ調整は通常、制御情報が記録された情報記録単位において実施される。このため、調整を実施した情報記録単位を生成したディスク装置と、再生対象とするユーザデータ記録済み領域を生成したディスク装置とが異なる場合、当該情報記録単位と当該ユーザデータ記録済み領域とのイコライザ特性の違いにより、リード品質が悪化する。
【０００６】
従って、複数の記録装置によって記録が行われ、イコライザ特性が異なるユーザデータ記録済み領域が混在する光ディスクを再生する場合、再生対象とするユーザデータ記録済み領域に応じて、調整値を変更しなければならないという問題があった。
【０００７】
上記の問題に関連して、光ディスクへの記録を行う際に再生信号処理条件情報を光ディスクに記録し、再生時に再生信号処理条件情報を読み出すことにより、記録を行なった光ディスク記録再生装置の記録特性に合わせた再生信号処理を行う光ディスク記録再生装置が提案されている（例えば特許文献１を参照）。
【０００８】
また上記の問題に関連して、ドライブ情報及びドライブ固有情報を記録するためのドライブ情報領域を光ディスクに生成し、この光ディスクを装着して記録再生するドライブ装置の動作条件をドライブ固有情報に含める光ディスク記録装置が提案されている（例えば特許文献２を参照）。
【先行技術文献】
【特許文献】
【０００９】
【特許文献１】特開２００７−２６５５５１号公報
【特許文献２】国際公開第２００４／００３８９７号
【発明の概要】
【発明が解決しようとする課題】
【００１０】
しかしながら、上述した従来技術はいずれも、記録装置において調整用情報（再生信号処理条件情報や動作条件）を、光ディスクに記録しておく必要があった。このため、上記のような調整用情報が含まれておらず、且つ複数の記録装置によって記録が行われた光ディスクを再生する場合、リード品質が悪化するという問題があった。また、調整用情報（再生信号処理条件情報や動作条件）が光ディスクに記録されるので、調整用情報（再生信号処理条件情報や動作条件）が記録されてからの経年による光ディスクの特性変化や記録装置の特性変化に対応することができないという問題もあった。
【００１１】
本発明の目的は、複数の記録装置によって記録が行われたディスクの再生において、リード品質の低下を防止することが可能なディスク装置、及び調整方法を提供することにある。
【課題を解決するための手段】
【００１２】
上記目的を達成するために本発明のディスク装置は、ディスクの再生対象データを記録した記録装置と同一の記録装置で記録された前記ディスクの記録済み領域で前記ディスクからデータを読み出し、その読み出しから生成された読出信号の調整を実施して取得した調整値を選択する選択部と、前記選択部によって選択された調整値で調整を実施し、前記再生対象データを再生する再生部と、を備える構成（第１の構成）としている。
【００１３】
この構成によると、再生対象データを再生する際に再生対象データに適した調整値で調整が実施されるので、リード品質の低下を防止することができる。また、調整値がディスクに書き込まれていないので、経年によるディスクの特性変化や記録装置の特性変化に対応することができる。
【００１４】
また、上記第１の構成のディスク装置において、前記ディスクにデータを記録した全ての記録装置それぞれで記録された前記ディスクの記録済み領域で前記ディスクからデータを読み出し、その読み出しから生成された読出信号の調整を実施して、前記ディスクにデータを記録した全ての記録装置それぞれに対応する各調整値を取得する取得部を備える構成（第２の構成）とすることが望ましい。
【００１５】
この構成によると、再生対象データが切り替わった場合でも、再生部が迅速に選択部によって選択された調整値で調整を実施し、再生対象データを再生することができる。
【００１６】
また、上記第２の構成のディスク装置において、前記再生対象データが確定する前に、前記取得部が前記各調整値の取得を実施する構成（第３の構成）とすることが望ましい。
【００１７】
この構成によると、再生対象データが切り替わった場合でも、再生部がより一層迅速に選択部によって選択された調整値で調整を実施し、再生対象データを再生することができる。
【００１８】
また、上記第１〜３のいずれかの構成のディスク装置において、前記選択部は、前記再生対象データの読み出し品質が良好であるか否かを確認し、前記再生対象データの読み出し品質が良好である場合に、前記再生対象データの読み出し品質が良好であるか否かを確認した際に用いた調整値を選択し、前記再生対象データの読み出し品質が良好でない場合に、前記再生対象データを記録した記録装置と同一の記録装置で記録された前記ディスクの記録済み領域で前記ディスクからデータを読み出し、その読み出しから生成された読出信号の調整を実施して取得した調整値を選択する構成（第４の構成）としてもよい。
【００１９】
このような構成によると、再生対象データの読み出し品質が良好であれば、調整値の切り替えを行わないので、不要な調整値の切り替えをなくすことができる。
【００２０】
また、上記第１〜４のいずれかの構成のディスク装置において、前記ディスクに再生対象となり得るデータを記録する際に、前記再生対象となり得るデータのアドレス範囲と、前記再生対象となり得るデータがどの記録装置で記録されたかを示す付加情報と、を含む制御信号を前記ディスクに記録する記録部を備える構成（第５の構成）としてもよい。
【００２１】
このような構成によると、ディスクに最後に記録された制御信号を読み出すだけで、ディスクの再生対象データを記録した記録装置と同一の記録装置で記録されたディスクの記録済み領域を認識することができるので、処理時間を短縮することができる。
【００２２】
また、上記目的を達成するために本発明の調整方法は、ディスクの再生対象データを記録した記録装置と同一の記録装置で記録された前記ディスクの記録済み領域で前記ディスクからデータを読み出し、その読み出しから生成された読出信号の調整を実施して取得した調整値を選択する選択ステップと、前記再生対象データを再生する際に前記選択ステップによって選択された調整値で調整を実施する調整ステップと、を備える。
【００２３】
この方法によると、再生対象データを再生する際に再生対象データに適した調整値で調整が実施されるので、リード品質の低下を防止することができる。また、調整値がディスクに書き込まれていないので、経年によるディスクの特性変化や記録装置の特性変化に対応することができる。
【発明の効果】
【００２４】
本発明によれば、複数の記録装置により記録が行われたディスクの再生において、再生対象データを再生する際に再生対象データに適した調整値で調整が実施されるので、リード品質の低下を防止することができる。
【図面の簡単な説明】
【００２５】
【図１】本発明の第１の実施形態に係るディスク装置の構成を示すブロック図である。
【図２】本発明の第１の実施形態に係るディスク装置の機能構成を示すブロック図である。
【図３】本発明の第１の実施形態に係る記録処理の処理フローを示すフロー図である。
【図４】光ディスクの規格とドライブ識別情報を示す表である。
【図５】光ディスクの記録状態の一例を示す概略図である。
【図６】本発明の第１の実施形態に係る再生準備処理の処理フローを示すフロー図である。
【図７】ドライブ識別情報データベースの一例を示す表である。
【図８】ドライブと調整値との対応関係の一例を示す表である。
【図９】ドライブとユーザデータ記録済み領域のアドレス範囲との対応関係の一例を示す表である。
【図１０】本発明の第１の実施形態に係る再生開始処理の処理フローを示すフロー図である。
【図１１】本発明の第２の実施形態に係る再生開始処理の処理フローを示すフロー図である。
【図１２】本発明の第３の実施形態に係る再生開始処理の処理フローを示すフロー図である。
【図１３】本発明の第４の実施形態に係る再生準備処理の処理フローを示すフロー図である。
【図１４】本発明の第４の実施形態に係る再生開始処理の処理フローを示すフロー図である。
【図１５】本発明の第５の実施形態に係る再生準備処理の処理フローを示すフロー図である。
【発明を実施するための形態】
【００２６】
以下に本発明の実施形態を、図面を参照しながら説明する。なお、ここで示す実施形態は一例であり、本発明はここに示す実施形態に限定されるものではない。
【００２７】
［第１の実施形態］
〈１−１．内部構成について〉
図１は、本発明の第１の実施形態に係るＤＶＤレコーダ１００（＝ディスク装置）を示す構成図である。ＤＶＤレコーダ１００は、光ピックアップ１、信号生成回路２１、ＤＳＰ（Digital Signal Processor）３１、再生処理回路３２、出力回路３３、ドライバ４１、送りモータ５１、及びスピンドルモータ５２を備えている。
【００２８】
光ピックアップ１は、光ディスク２に光ビームを照射して、光ディスク２に対する音声情報、画像情報等の読み取り／書き込みを行う。この光ピックアップ１には、ＣＤ用光ビーム、ＤＶＤ用光ビーム、ＢＤ（Blu-ray（登録商標） Disc） 用光ビームが設けられている。
【００２９】
光ピックアップ１内部には例えば、光源、ダイクロプリズム、コリメートレンズ、対物レンズ、光検出器、アクチュエータ等が含まれている。光ピックアップ１は、光源より出力される光ビームを対物レンズ等を用いて光ディスク２の記録面に照射し、その反射光を光検出器で光電変換することにより、電気信号を出力する。またアクチュエータにより対物レンズを移動させることにより、トラッキング動作、チルト動作、フォーカス動作等を行う。
【００３０】
信号生成回路２１は、光ピックアップ１が含む光検出器により得られた電気信号をもとに演算処理を行い、ＲＦ信号（＝再生信号）、フォーカスエラー信号（以下、「ＦＥ信号」という）、トラッキングエラー信号（以下、「ＴＥ信号」という）等の各種信号を生成する。そして生成した各種信号を、ＤＳＰ３１へ出力する。
【００３１】
ＤＳＰ３１は、図２に示すように、複数の機能部を有する。各機能部は、例えばＤＳＰ３１に含まれる演算処理装置上で所定のプログラムを実行することにより実現される。
【００３２】
デコーダ部３１ａは、信号生成回路２１より入力したＲＦ信号をもとに画像処理または音声処理を行うことにより画像信号または画像信号を生成し、後述する再生処理回路３２へ与える。
【００３３】
サーボ部３１ｂは、信号生成回路２１より入力したＦＥ信号やＴＥ信号に基づいてサーボ信号を生成する。例えばトラッキングサーボを行うためのトラッキングサーボ信号や、フォーカスサーボを行うためのフォーカスサーボ信号を生成する。生成されたサーボ信号はドライバ４１へ与えられる。これにより例えば、光ピックアップ１が含む対物レンズのトラッキング制御やフォーカス制御等が実施される。
【００３４】
イコライザ調整部３１ｃは、信号生成回路２１より入力したＲＦ信号のイコライザ調整を行う。ＲＦ信号には種々の周波数成分が含まれており、高い周波数ほどレベルが低い。ただし低レベルのままであると、ＲＦ信号のジッタが大きくなる。また、必要な周波数成分以外もジッタの悪化につながる。そこでイコライザ調整部３１ｃは、レベルの低い周波数成分をブーストし、ある周波数以上の成分をカットして、ジッタが小さくなるようにＲＦ信号の周波数特性を調整する。
【００３５】
図１に戻って、再生処理回路３２は、画像信号または音声信号を不図示のモニタ等へ出力するためのＤ／Ａ変換処理を行う。変換処理により得られた信号は、出力回路３３により外部装置へ出力される。
【００３６】
ドライバ４１は、ＤＳＰ３１から与えられる制御信号（例えばサーボ信号）に基づいて、光ピックアップ１、送りモータ５１、及びスピンドルモータ５２の駆動を制御する。送りモータ５１は、光ピックアップ１を光ディスク２の径方向に駆動する。スピンドルモータ５２は、光ディスク２を回転方向に駆動する。
【００３７】
〈１−２．記録処理について〉
次に、ＤＶＤレコーダ１００及び他のディスク装置が実施する記録処理について図３のフロー図を参照して説明する。
【００３８】
まず、ＤＶＤレコーダ１００は、ローディング機構部（不図示）による光ディスク２のロード動作を行う（ステップＳ１０）。それから、ＤＶＤレコーダ１００は、ユーザデータの記録、すなわち光ディスク２のユーザデータ領域への光ピックアップ１によるユーザデータの書き込みを行う（ステップ２０）。
【００３９】
その後、ＤＶＤレコーダ１００は、制御情報の記録、すなわち光ディスク２の制御情報領域への光ピックアップ１による制御情報の書き込みを行う（ステップ３０）。制御情報は、今回ステップＳ２０で記録したユーザデータのアドレス範囲と、今回ステップＳ３０で制御情報を記録したドライブ自身のドライブ識別情報と、今回の記録が追記である場合には過去に記録した各ユーザデータの各アドレス範囲と、を含んでいる。ドライブ識別情報は、図４に示すようにディスク規格毎に形式や記録位置が異なっている。なお、ドライブとは、個々のディスク装置を意味する用語である。
【００４０】
最後に、ＤＶＤレコーダ１００は、ローディング機構部（不図示）による光ディスク２のイジェクト動作を行い（ステップＳ４０）、記録処理を終了する。
【００４１】
上述した記録処理は、本発明に係るディスク装置に特有の処理ではなく、従来の一般的なディスク装置でも実施されている処理である。以下の説明では、上述した記録処理が３回実施され図５に示す記録状態になっている光ディスク２を再生する場合を例に挙げて説明を行うことにする。
【００４２】
〈１−３．再生準備処理について〉
次に、ＤＶＤレコーダ１００が実施する再生準備（スピンアップ）処理について図６のフロー図を説明する。
【００４３】
まず、ＤＶＤレコーダ１００は、ローディング機構部（不図示）による光ディスク２のロード動作を行う（ステップＳ１１０）。
【００４４】
その後、ＤＶＤレコーダ１００は、光ディスク２の制御情報領域の先頭に対応する位置に光ピックアップ１を移動させる（ステップＳ１２０）。
【００４５】
その後、ＤＶＤレコーダ１００は、光ディスク２の制御情報領域に生成されている次（＝図５での１つ右）の情報記録単位を読み出す（ステップＳ１３０）。ステップＳ１２０からステップＳ１３０へ移行した場合は、光ディスク２に最初に記録された情報記録単位を読み出すことになる。また、後述するステップＳ１７０から最初にステップＳ１３０へ移行した場合は、光ディスク２に最初から２番目に記録された情報記録単位を読み出すことになり、後述するステップＳ１７０から２度目にステップＳ１３０へ移行した場合は、光ディスク２に最初から３番目に記録された情報記録単位を読み出すことになる。
【００４６】
次に、ＤＳＰ３１は、ステップＳ１３０で読み出した情報記録単位からドライブ識別情報とユーザデータ記録済み領域のアドレス範囲とを抜き出す（ステップＳ１４０）。そして、ＤＳＰ３１は、今回抜き出したユーザデータ記録済み領域のアドレス範囲と前回抜き出したユーザデータ記録済み領域のアドレス範囲との差分から、ステップＳ１３０で読み出した情報記録単位と同一の記録処理によって生成されたユーザデータ記録済み領域のアドレス範囲を特定する。
【００４７】
また、ＤＳＰ３１は、ドライブ識別情報に含まれる製造者及びシリアル番号からドライブの同一性を判断し、異なるドライブには異なるドライブ番号を付与したドライブ識別情報データベースを作成して内部メモリ（不図示）に保持する。これにより、再生準備処理終了時には例えば図７に示すドライブ識別情報データベースが保持される。
【００４８】
次に、ＤＳＰ３１は、ステップＳ１４０で抜き出したドライブ識別情報から特定されるドライブの調整値を取得しているか否かを確認する（ステップＳ１５０）。
【００４９】
当該調整値を取得していなければ（ステップＳ１５０のＮＯ）、イコライザ調整部３１ｃは、ステップＳ１３０で読み出した情報記録単位でイコライザ調整を行う（ステップＳ１５１）。そして、ＤＳＰ３１は、ステップＳ１４０で抜き出したドライブ識別情報から特定されるドライブと、ステップＳ１５１のイコライザ調整で得られた調整値との対応関係を内部メモリ（不図示）に保持し（ステップＳ１５２）、その後ステップＳ１６０に移行する。これにより、再生準備処理終了時には例えば図８に示すドライブと調整値との対応関係が保持される。
【００５０】
一方、当該調整値を取得していれば（ステップＳ１５０のＹＥＳ）、直接ステップＳ１６０に移行する。
【００５１】
ステップＳ１６０において、ＤＳＰ３１は、ステップＳ１４０で抜き出したドライブ識別情報から特定されるドライブと、ステップＳ１３０で読み出した情報記録単位と同一の記録処理によって生成されたユーザデータ記録済み領域のアドレス範囲との対応関係を内部メモリ（不図示）に保持する。すなわち、ステップＳ１６０において、ＤＳＰ３１は、ドライブと、そのドライブで生成されたユーザデータ記録済み領域のアドレス範囲との対応関係を内部メモリ（不図示）に保持する。これにより、再生準備処理終了時には例えば図９に示すドライブとユーザデータ記録済み領域のアドレス範囲との対応関係が保持される。
【００５２】
その後、ＤＳＰ３１は、次の情報記録単位が有るか否かを確認する（ステップＳ１７０）。次の情報記録単位が有れば（ステップＳ１７０のＹＥＳ）、ステップＳ１３０に戻る。一方、次の情報記録単位がなければ（ステップＳ１７０のＮＯ）、再生準備処理を終了する。
【００５３】
〈１−４．再生開始処理について〉
次に、ＤＶＤレコーダ１００が実施する再生開始処理について図１０のフロー図を参照して説明する。
【００５４】
まず、ＤＳＰ３１は、ユーザ操作による再生命令が有るかを確認する（ステップＳ２１０）。再生命令があれば（ステップＳ２１０のＹＥＳ）、ＤＳＰ３１は、ドライブと、そのドライブで生成されたユーザデータ記録済み領域のアドレス範囲との対応関係を、内部メモリから読み出す（ステップＳ２２０）。
【００５５】
その後、ＤＳＰ３１は、ステップＳ２２０で読み出した対応関係に含まれている次（＝図９に示す表の１行下）のユーザデータ記録済み領域を確認対象にする（ステップＳ２３０）。次に、ＤＳＰ３１は、確認対象のユーザデータ記録済み領域のアドレス範囲に再生開始アドレスが含まれるか否かを確認する（ステップＳ２４０）。
【００５６】
確認対象のユーザデータ記録済み領域のアドレス範囲に再生開始アドレスが含まれていなければ（ステップＳ２４０のＮＯ）、ステップＳ２３０に戻る。一方、確認対象のユーザデータ記録済み領域のアドレス範囲に再生開始アドレスが含まれていれば（ステップＳ２４０のＹＥＳ）、ＤＳＰ３１は、図８に示すドライブと調整値との対応関係を用いて、再生開始アドレスが含まれるユーザデータ記録済み領域を生成したドライブに対応する調整値を検索し、その検索した調整値でイコライザ調整部３１ｃがイコライザ調整を行う設定にする（ステップＳ２５０）。
【００５７】
次に、ＤＶＤレコーダ１００は、光ディスク２の再生開始アドレスに対応する位置に光ピックアップ１を移動させ（ステップＳ２６０）、再生を開始し（ステップＳ２７０）、再生開始処理を終了する。
【００５８】
〈１−５．まとめ〉
ＤＶＤレコーダ１００は、光ディスク２の再生対象データを記録した記録装置と同一の記録装置で記録された光ディスク２の情報記録単位で光ディスク２からデータを読み出す。その読み出しから生成されたＲＦ信号のイコライザ調整をイコライザ調整部３１ｃが実施する。その実施によって取得した調整値をＤＳＰ３１が選択する。ＤＶＤレコーダ１００は、ＤＳＰ３１によって選択された調整値でイコライザ調整を実施し、再生対象データを再生する。
【００５９】
このように再生対象データを再生する際に再生対象データに適した調整値でイコライザ調整が実施されるので、リード品質の低下を防止することができる。また、調整値が光ディスク２に書き込まれていないので、経年による光ディスク２の特性変化や記録装置の特性変化に対応することができる。
【００６０】
また、ＤＶＤレコーダ１００は、光ディスク２にデータを記録した全ての記録装置それぞれで記録された光ディスク２の情報記録単位で光ディスク２からデータを読み出す。その読み出しから生成されたＲＦ信号のイコライザ調整を実施する。そして、光ディスク２にデータを記録した全ての記録装置それぞれに対応する各調整値をＤＳＰ３１が取得する。
【００６１】
したがって、再生対象データが切り替わった場合でも、ＤＶＤレコーダ１００は、迅速にＤＳＰ３１によって選択された調整値でイコライザ調整を実施し、再生対象データを再生することができる。
【００６２】
また、ＤＶＤレコーダ１００は、再生対象データが確定する前すなわち再生開始処理の前に、ＤＳＰ３１が各調整値の取得を実施する。
【００６３】
したがって、再生対象データが切り替わった場合でも、ＤＶＤレコーダ１００は、より一層迅速にＤＳＰ３１によって選択された調整値でイコライザ調整を実施し、再生対象データを再生することができる。
【００６４】
［第２の実施形態］
〈２−１．内部構成について〉
本発明の第２の実施形態に係るＤＶＤレコーダは、本発明の第１の実施形態に係るＤＶＤレコーダ１００と同様の内部構成である。したがって、以下の説明では、本発明の第２の実施形態に係るＤＶＤレコーダもＤＶＤレコーダ１００と称する。
【００６５】
〈２−２．記録処理について〉
第２の実施形態においてＤＶＤレコーダ１００及び他のディスク装置が実施する記録処理は、第１の実施形態と同様である。
【００６６】
〈２−３．再生準備処理について〉
第２の実施形態においてＤＶＤレコーダ１００が実施する再生準備処理は、図６に示すフロー図からステップＳ１６０を取り除いた処理である。したがって、本実施形態では、ＤＳＰ３１は、図９に示す対応関係を保持しない。
【００６７】
〈２−４．再生開始処理について〉
次に、ＤＶＤレコーダ１００が実施する再生開始処理について図１１のフロー図を参照して説明する。
【００６８】
まず、ＤＳＰ３１は、ユーザ操作による再生命令が有るかを確認する（ステップＳ２１０）。再生命令があれば（ステップＳ２１０のＹＥＳ）、ＤＶＤレコーダ１００は、光ディスク２の再生開始アドレスに対応する位置に光ピックアップ１を移動させる（ステップＳ２６０）。
【００６９】
その後、ＤＳＰ３１は、次（＝図８に示す表の１行下）の調整値でリード品質（例えばＲＦ信号のジッタ）を確認する（ステップＳ２６１）。そして、ＤＳＰ３１は、次の調整値が有るか否かを確認する（ステップＳ２６２）。次の調整値が有れば（ステップＳ２６２のＹＥＳ）、ステップＳ２６１０に戻る。一方、次の調整値がなければ（ステップＳ２６２０のＮＯ）、ステップＳ２６３に移行する。
【００７０】
ステップＳ２６３では、ＤＳＰ３１は、最もリード品質が良い調整値を選択し、その選択した調整値でイコライザ調整部３１ｃがイコライザ調整を行う設定にする。最もリード品質が良い調整値を選択することにより、再生開始アドレスが含まれるユーザデータ記録済み領域を生成したドライブに対応する調整値を選択することができる。その後、ＤＶＤレコーダ１００は、再生を開始し（ステップＳ２７０）、再生開始処理を終了する。
【００７１】
〈２−５．まとめ〉
ＤＳＰ３１は、光ディスク２にデータを記録した全ての記録装置それぞれに対応する各調整値の中から、最もリード品質が良い調整値を選択することで、結果的に第１の実施形態と同様の選択を行うことになる。したがって、ＤＶＤレコーダ１００は、第１の実施形態と同様の効果を奏する。
【００７２】
［第３の実施形態］
〈３−１．内部構成について〉
本発明の第３の実施形態に係るＤＶＤレコーダは、本発明の第１の実施形態に係るＤＶＤレコーダ１００と同様の内部構成である。したがって、以下の説明では、本発明の第３の実施形態に係るＤＶＤレコーダもＤＶＤレコーダ１００と称する。
【００７３】
〈３−２．記録処理について〉
第３の実施形態においてＤＶＤレコーダ１００及び他のディスク装置が実施する記録処理は、第１の実施形態と同様である。
【００７４】
〈３−３．再生準備処理について〉
第３の実施形態においてＤＶＤレコーダ１００が実施する再生準備処理は、第１の実施形態と同様である。
【００７５】
〈３−４．再生開始処理について〉
次に、ＤＶＤレコーダ１００が実施する再生開始処理について図１２のフロー図を参照して説明する。
【００７６】
まず、ＤＳＰ３１は、ユーザ操作による再生命令が有るかを確認する（ステップＳ２１０）。再生命令があれば（ステップＳ２１０のＹＥＳ）、ＤＳＰ３１は、或る調整値（例えば再生準備処理で最初に取得した調整値）でイコライザ調整部３１ｃがイコライザ調整を行う設定にする（ステップＳ２１１）。その後、ＤＶＤレコーダ１００は、光ディスク２の再生開始アドレスに対応する位置に光ピックアップ１を移動させ（ステップＳ２１２）、ＤＳＰ３１は、リード品質（例えばＲＦ信号のジッタ）が良好（例えば所定範囲内）であるか否かを確認する（ステップ２１３）。
【００７７】
リード品質が良好であれば（ステップＳ２１３のＹＥＳ）、現在設定している調整値で問題ないため、ＤＶＤレコーダ１００は、再生を開始し（ステップＳ２７０）、再生開始処理を終了する。
【００７８】
リード品質が良好でなければ（ステップＳ２１３のＮＯ）、ＤＳＰ３１は、ドライブと、そのドライブで生成されたユーザデータ記録済み領域のアドレス範囲との対応関係を、内部メモリから読み出す（ステップＳ２２０）。
【００７９】
その後、ＤＳＰ３１は、ステップＳ２２０で読み出した対応関係に含まれている次（＝図９に示す表の１行下）のユーザデータ記録済み領域を確認対象にする（ステップＳ２３０）。次に、ＤＳＰ３１は、確認対象のユーザデータ記録済み領域のアドレス範囲に再生開始アドレスが含まれるか否かを確認する（ステップＳ２４０）。
【００８０】
確認対象のユーザデータ記録済み領域のアドレス範囲に再生開始アドレスが含まれていなければ（ステップＳ２４０のＮＯ）、ステップＳ２３０に戻る。一方、確認対象のユーザデータ記録済み領域のアドレス範囲に再生開始アドレスが含まれていれば（ステップＳ２４０のＹＥＳ）、ＤＳＰ３１は、図８に示すドライブと調整値との対応関係を用いて、再生開始アドレスが含まれるユーザデータ記録済み領域を生成したドライブに対応する調整値を検索し、その検索した調整値でイコライザ調整部３１ｃがイコライザ調整を行う設定にする（ステップＳ２５０）。
【００８１】
次に、ＤＶＤレコーダ１００は、再生を開始し（ステップＳ２７０）、再生開始処理を終了する。
【００８２】
〈３−５．まとめ〉
ＤＶＤレコーダ１００は、第１の実施形態と同様の効果を奏する。
【００８３】
また、ＤＳＰ３１は、再生対象データの読み出し品質が良好であるか否かを確認し、再生対象データの読み出し品質が良好である場合に、再生対象データの読み出し品質が良好であるか否かを確認した際に用いた調整値を選択し、再生対象データの読み出し品質が良好でない場合に、再生対象データを記録した記録装置と同一の記録装置で記録された光ディスク２の情報記録単位で光ディスク２からデータを読み出し、その読み出しから生成されたＲＦ信号のイコライザ調整を実施して取得した調整値を選択する。これにより、不要な調整値の切り替えをなくすことができる。
【００８４】
［第４の実施形態］
〈４−１．内部構成について〉
本発明の第４の実施形態に係るＤＶＤレコーダは、本発明の第１の実施形態に係るＤＶＤレコーダ１００と同様の内部構成である。したがって、以下の説明では、本発明の第４の実施形態に係るＤＶＤレコーダもＤＶＤレコーダ１００と称する。
【００８５】
〈４−２．記録処理について〉
第４の実施形態においてＤＶＤレコーダ１００及び他のディスク装置が実施する記録処理は、第１の実施形態と同様である。
【００８６】
〈４−３．再生準備処理について〉
第４の実施形態においてＤＶＤレコーダ１００が実施する再生準備処理は、図６に示すフロー図からステップＳ１５０、Ｓ１５１、及びＳ１６０を取り除いた処理、すなわち図１３に示すフロー図の処理である。したがって、本実施形態では、再生準備処理の終了時点において、ＤＳＰ３１は、図８に示す対応関係を保持しない。
【００８７】
〈４−４．再生開始処理について〉
次に、ＤＶＤレコーダ１００が実施する再生開始処理について図１４のフロー図を参照して説明する。
【００８８】
まず、ＤＳＰ３１は、ユーザ操作による再生命令が有るかを確認する（ステップＳ２１０）。再生命令があれば（ステップＳ２１０のＹＥＳ）、ＤＳＰ３１は、ドライブと、そのドライブで生成されたユーザデータ記録済み領域のアドレス範囲との対応関係を、内部メモリから読み出す（ステップＳ２２０）。
【００８９】
その後、ＤＳＰ３１は、ステップＳ２２０で読み出した対応関係に含まれている次（＝図９に示す表の１行下）のユーザデータ記録済み領域を確認対象にする（ステップＳ２３０）。次に、ＤＳＰ３１は、確認対象のユーザデータ記録済み領域のアドレス範囲に再生開始アドレスが含まれるか否かを確認する（ステップＳ２４０）。
【００９０】
確認対象のユーザデータ記録済み領域のアドレス範囲に再生開始アドレスが含まれていなければ（ステップＳ２４０のＮＯ）、ステップＳ２３０に戻る。一方、確認対象のユーザデータ記録済み領域のアドレス範囲に再生開始アドレスが含まれていれば（ステップＳ２４０のＹＥＳ）、ＤＳＰ３１は、再生開始アドレスが含まれるユーザデータ記録済み領域を生成したドライブに対応する調整値を取得しているか否かを確認する（ステップＳ１２４１）。
【００９１】
当該調整値を取得していなければ（ステップＳ２４１のＮＯ）、イコライザ調整部３１ｃは、再生開始アドレスが含まれるユーザデータ記録済み領域を生成したドライブと同一のドライブによって生成された情報記録単位でイコライザ調整を行う（ステップＳ２４２）。そして、ＤＳＰ３１は、イコライザ調整を行った情報記録単位を生成したドライブと、ステップＳ２４２のイコライザ調整で得られた調整値との対応関係を内部メモリ（不図示）に保持し（ステップＳ２４３）、その後ステップＳ２４４に移行する。これにより、図８に示すドライブと調整値との対応関係の１行分のデータが追加して保持される。
【００９２】
一方、当該調整値を取得していれば（ステップＳ２４１のＹＥＳ）、直接ステップＳ２４４に移行する。
【００９３】
ステップＳ２４４において、ＤＳＰ３１は、再生開始アドレスが含まれるユーザデータ記録済み領域を生成したドライブに対応する調整値でイコライザ調整部３１ｃがイコライザ調整を行う設定にする。
【００９４】
次に、ＤＶＤレコーダ１００は、光ディスク２の再生開始アドレスに対応する位置に光ピックアップ１を移動させ（ステップＳ２６０）、再生を開始し（ステップＳ２７０）、再生開始処理を終了する。
【００９５】
〈４−５．まとめ〉
ＤＶＤレコーダ１００は、光ディスク２の再生対象データを記録した記録装置と同一の記録装置で記録された光ディスク２の情報記録単位で光ディスク２からデータを読み出す。その読み出しから生成されたＲＦ信号のイコライザ調整をイコライザ調整部３１ｃが実施する。その実施によって取得した調整値をＤＳＰ３１が選択する。ＤＶＤレコーダ１００は、ＤＳＰ３１によって選択された調整値でイコライザ調整を実施し、再生対象データを再生する。
【００９６】
このように再生対象データを再生する際に再生対象データに適した調整値でイコライザ調整が実施されるので、リード品質の低下を防止することができる。また、調整値が光ディスク２に書き込まれていないので、経年による光ディスク２の特性変化や記録装置の特性変化に対応することができる。
【００９７】
また、ＤＶＤレコーダ１００は、再生対象データが確定した後すなわち再生準備処理の後に、ＤＳＰ３１が各調整値の取得を実施する。
【００９８】
したがって、再生準備処理の処理時間を短縮することができ、出画までに要する時間を短縮することできる。
【００９９】
［第５の実施形態］
〈５−１．内部構成について〉
本発明の第５の実施形態に係るＤＶＤレコーダは、本発明の第１の実施形態に係るＤＶＤレコーダ１００と同様の内部構成である。したがって、以下の説明では、本発明の第５の実施形態に係るＤＶＤレコーダもＤＶＤレコーダ１００と称する。
【０１００】
〈５−２．記録処理について〉
第５の実施形態においてＤＶＤレコーダ１００及び他のディスク装置が実施する記録処理は、第１の実施形態と同様に図３に示すフロー図である。ただし、ステップＳ３０において、ＤＶＤレコーダ１００が光ディスク２へ書き込む制御情報は、今回ステップＳ２０で記録したユーザデータのアドレス範囲と、今回ステップＳ３０で制御情報を記録したドライブ自身のドライブ識別情報と、今回の記録が追記である場合には過去に記録した各ユーザデータの各アドレス範囲と、を含んでおり、さらに従来規格とは異なり、各ユーザデータ（今回記録されたユーザデータも過去に記録されたユーザデータも含む）の各アドレス範囲には、各ユーザデータがどのドライブで記録されたかを示す付加情報が付加されている。
【０１０１】
〈５−３．再生準備処理について〉
次に、ＤＶＤレコーダ１００が実施する再生準備処理について図１５のフロー図を説明する。
【０１０２】
まず、ＤＶＤレコーダ１００は、ローディング機構部（不図示）による光ディスク２のロード動作を行う（ステップＳ１１０）。
【０１０３】
その後、ＤＶＤレコーダ１００は、光ディスク２の制御情報領域に最後に記録された（＝図５で最も右に位置する）情報記録単位を読み出す（ステップＳ１１１）。
【０１０４】
次に、ＤＳＰ３１は、ステップＳ１１１で読み出した情報記録単位からユーザデータ記録済み領域のアドレス範囲と、そのアドレス範囲に含まれている付加情報とを抜き出す（ステップＳ１１２）。これにより、図７に示すドライブ識別情報データベース及び図９に示すドライブとユーザデータ記録済み領域のアドレス範囲との対応関係に該当する情報を取得することができる。
【０１０５】
その後、ＤＶＤレコーダ１００は、次（＝図５での１つ下）のドライブを以降の処理での対象ドライブにする（ステップＳ１１３）。次に、ＤＶＤレコーダ１００は、対象のドライブで記録した情報記録単位又はユーザデータ記録済み領域のアドレスに光ピックアップ１を移動させる（ステップＳ１１４）。次に、イコライザ調整部３１ｃは、イコライザ調整を行う（ステップＳ１１５）。そして、ＤＳＰ３１は、対象ドライブと、ステップＳ１１５のイコライザ調整で得られた調整値との対応関係を内部メモリ（不図示）に保持し（ステップＳ１１６）、その後ステップＳ１１７に移行する。これにより、再生準備処理終了時には例えば図８に示すドライブと調整値との対応関係が保持される。
【０１０６】
ステップＳ１１７において、ＤＳＰ３１は、全ドライブの調整値を取得したか否かを確認する（ステップＳ１１７）。全ドライブの調整値を取得していなければ（ステップＳ１１７０のＮＯ）、ステップＳ１１３に戻る。一方、全ドライブの調整値を取得していれば（ステップＳ１７０のＹＥＳ）、再生準備処理を終了する。
【０１０７】
〈５−４．再生開始処理について〉
第５の実施形態においてＤＶＤレコーダ１００が実施する再生開始処理は、第１の実施形態と同様である。
【０１０８】
〈５−５．まとめ〉
ＤＶＤレコーダ１００は、第１の実施形態と同様の効果を奏する。
【０１０９】
また、ＤＶＤレコーダ１００及び他のディスク装置が実施する記録処理では、光ディスク２に再生対象となり得るデータ（ユーザデータ）を記録する際に、再生対象となり得るデータのアドレス範囲と、再生対象となり得るデータがどの記録装置で記録されたかを示す付加情報と、を含む制御信号を光ディスク２に記録する。
【０１１０】
したがって、光ディスク２に最後に記録された制御信号を読み出すだけで、光ディスク２の再生対象データを記録した記録装置と同一の記録装置で記録された光ディスク２の記録済み領域を認識することができるので、処理時間を短縮することができる。
【０１１１】
［その他の実施形態］
【０１１２】
以上、好ましい実施の形態及び実施例をあげて本発明を説明したが、本発明は必ずしも上記実施の形態及び実施例に限定されるものではなく、その技術的思想の範囲内において様々に変形して実施することができる。
【０１１３】
従って本発明は、以下の形態にも適用可能である。
【０１１４】
（Ａ）複数の調整値が一定範囲に収まっている場合は、同一の調整値とみなしてもよい。例えば、複数の調整値が１０進数で５以内に収まっている場合は、同一の調整値とみなすようにすると、イコライザ調整によって、１０進数で１０の調整値と、１０進数で１３の調整値とが取得された場合、１０進数で１３の調整値を１０進数で１０の調整値とみなして調整値を保持するようにするとよい。あるいは逆に、１０進数で１０の調整値を１０進数で１３の調整値とみなして調整値を保持するようにしてもよい。
【０１１５】
（Ｂ）連続するユーザデータ記録済み領域の末尾部分には、ディスクの規格上、制御情報の「ユーザデータ記録済み領域のアドレス範囲」に含まれていないものが存在し得る。したがって、そのような制御情報によって管理されていないユーザデータ記録済み領域の末尾部分は、どのドライブで記録されたかを断定することができないので、例えば（１）または（２）のように特別な扱いをする。
【０１１６】
（１）連続するユーザデータ記録済み領域の先行する部分と同一のドライブで記録されたものとして扱う。
【０１１７】
（２）制御情報によって管理されていないユーザデータ記録済み領域の末尾部分を再生する前に、制御情報によって管理されていないユーザデータ記録済み領域の末尾部分内でイコライザ調整を行い、制御情報によって管理されていないユーザデータ記録済み領域の末尾部分に適する調整値を取得する。
【０１１８】
（Ｃ）上記各実施形態では、本発明の調整方法をイコライザ調整に適用したが、本発明の調整方法は、或る記録済み領域に対する調整値が、その領域を記録したドライブの特性に大きく依存して決まるような調整全般に適用することができる。例えば、ＲＦ信号を補正する調整は全て上記の調整に該当する。ＲＦ信号を補正する調整としては、アシンメトリ調整や、ＲＦスライスレベルの調整(ビタビ復号の閾値などの調整)などを挙げることができる。
【０１１９】
（Ｄ）上記各実施形態では、本発明の調整方法に関わる各機能部がＤＳＰ３１により実現されているが、これらの機能部の一部または全部が、これ以外の装置により実現される形態でもよい。例えば、複数の回路により実現される形態でもよい。或いは、不図示のシステムコントローラ等の演算処理装置上で所定のプログラムを実行することにより実現さる形態でもよい。
【０１２０】
（Ｅ）上記各実施形態では、本発明の調整方法を適応するディスク装置としてＤＶＤレコーダ１００を例示したが、これ以外のディスク装置において本発明の調整方法を適応する形態でもよい。例えば、ＣＤプレーヤ、ＤＶＤプレーヤ、パソコン用の光ディスクドライブや光ディスク以外の可搬型ディスクを再生するプレーヤ等に適応する形態でもよい。
【符号の説明】
【０１２１】
１００    ＤＶＤレコーダ（ディスク装置）
１        光ピックアップ
２        光ディスク
２１      信号生成回路
３１      ＤＳＰ
３１ａ    デコーダ部
３１ｂ    サーボ部
３１ｃ    イコライザ調整部
３２      再生処理回路
３３      出力回路
４１      ドライバ
５１      送りモータ
５２      スピンドルモータ
【図１】
2015049922.tif 000003
【図２】
2015049922.tif 000004
【図３】
2015049922.tif 000005
【図４】
2015049922.tif 000006
【図５】
2015049922.tif 000007
【図６】
2015049922.tif 000008
【図７】
2015049922.tif 000009
【図８】
2015049922.tif 000010
【図９】
2015049922.tif 000011
【図１０】
2015049922.tif 000012
【図１１】
2015049922.tif 000013
【図１２】
2015049922.tif 000014
【図１３】
2015049922.tif 000015
【図１４】
2015049922.tif 000016
【図１５】
2015049922.tif 000017